(57)【要約】  本発明は発光デバイスに関する。この発光デバイスには、第１の光出射側（１）と、第２の光出射側（２）と、これら第１の光出射側（１）と第２の光出射側（２）との間に配置された有機積層体（３）が設けられている。発光デバイス動作中、第１の光出射側（１）と第２の光出射側（２）を介して、それぞれ異なる光特性をもつ光（２１，２２）が出射される。
2010505246.tif 000002
【特許請求の範囲】
【請求項１】
発光デバイスにおいて、
第１の光出射側（１）と、
第２の光出射側（２）と、
有機積層体（３）が設けられており、
該有機積層体（３）は前記第１の光出射側（１）と前記第２の光出射側（２）との間に配置されており、発光デバイス動作中、前記第１の光出射側（１）と前記第２の光出射側（２）を介して、それぞれ異なる光特性をもつ光（２１，２２）が出射されることを特徴とする、
発光デバイス。
【請求項２】
前記第１の光出射側（１）を介して出射された光（２１）は、前記第２の光出射側（２）を介して出射された光（２２）とは強度（Ｉ）に関して異なる、請求項１記載の発光デバイス。
【請求項３】
前記第１の光出射側（１）を介して出射された光（２１）は、前記第２の光出射側（２）を介して出射された光（２２）とは輝度に関して異なる、請求項１または２記載の発光デバイス。
【請求項４】
前記第１の光出射側（１）を介して出射された光（２１）は、前記第２の光出射側（２）を介して出射された光（２２）とは放射特性に関して異なる、請求項１から３のいずれか１項記載の発光デバイス。
【請求項５】
前記第１の光出射側（１）を介して出射された光（２１）は、前記第２の光出射側（２）を介して出射された光（２２）とは色に関して異なる、請求項１から４のいずれか１項記載の発光デバイス。
【請求項６】
少なくとも１つの光出射側（１，２）には波長変換材料（１０）が含まれている、請求項１から５のいずれか１項記載の発光デバイス。
【請求項７】
少なくとも１つの光出射側（１，２）にはカラーフィルタ材料（１０）が含まれている、請求項１から６のいずれか１項記載の発光デバイス。
【請求項８】
少なくとも１つの光出射側（１，２）には光を散乱させる材料（９）が含まれている、請求項１から７のいずれか１項記載の発光デバイス。
【請求項９】
少なくとも１つの半透過性の電極（５，６）が設けられており、該電極（５，６）は前記有機積層体（３）に接している、請求項１から８のいずれか１項記載の発光デバイス。
【請求項１０】
前記第２の光出射側（２）から白色光が放出され、前記第１の光出射側（１）からカラー光たとえば青色光、緑色光または赤色光が放出される、請求項１から９のいずれか１項記載の発光デバイス。
【請求項１１】
前記光出射側（１，２）の１つから出射される光（２１，２２）の放射特性は、前記有機積層体（３）において放射発生のために設けられている有機層（３ａ）と前記半透過性の電極（５，６）との間隔（ｔ）に依存する、請求項１から１０のいずれか１項記載の発光デバイス。
【請求項１２】
前記光出射側（１，２）の１つから出射される光（２１，２２）の放射特性はキャビティ効果を利用して調節される、請求項１から１１のいずれか１項記載の発光デバイス。
【発明の詳細な説明】
【技術分野】
【０００１】
本発明は発光デバイスに関する。
【０００２】
刊行物US 6,626,554には発光デバイスについて記載されている。
【０００３】
本発明が解決しようとする課題は、非常に多岐にわたり使用することのできる発光デバイスを提供することである。
【０００４】
発光デバイスの少なくとも１つの実施形態によれば、この発光デバイスは第１の光出射側と第２の光出射側を有している。つまりこの発光デバイスは２つの側を有しており、発光デバイス動作中、これら２つの側から光が送出される。その際、これらの光出射側ないしは光出射面は有利には、発光デバイスの互いに反対の側である。動作中、発光デバイスはたとえばその前面および背面から光を送出する。
【０００５】
発光デバイスの少なくとも１つの実施形態によれば、発光デバイスはさらに有機積層体を有しており、これは第１の光出射面と第２の光出射面との間に配置されている。この有機積層体には少なくとも１つの有機層が含まれており、これは電磁放射を発生させるために設けられている。電磁放射の一部分は、発光デバイスの第１の光出射面の方向で有機積層体から出ていく。電磁放射の別の部分は、発光デバイスの第２の光出射面の方向で有機積層体から出ていく。
【０００６】
有機積層体に電極層が接していると有利である。たとえば有機積層体において第１の光出射側ないしは光出射面に向いた側に、第１の電極層が接している。有機積層体において第２の光出射側ないしは光出射面に向いた側は第２の電極層に接している。第１の電極層をたとえばアノードとし、第２の電極層をたとえばカソードとすることができ、あるいはこの逆とすることができる。
【０００７】
有機積層体には、電磁放射の発生に適した少なくとも１つの層のほかに、さらに別の有機層を含めることができ、たとえばホール注入層、ホール輸送層、電子注入層、電子輸送層などを含めることができる。
【０００８】
その際に有利であるのは、ホール輸送層とホール注入層を有機積層体においてアノードに向いた側に設ける一方、電子輸送層と電子注入層を有機積層体においてカソードに向いた側に設けることである。
【０００９】
この場合、一方の側に設けられたホール輸送層およびホール注入層と、他方の側に設けられた電子輸送層および電子注入層との間に、電磁放射の発生に適した有機層を配置すると有利である。有利には有機積層体の有機材料はたとえば、有機積層体から出射する光に対し光透過性であるよう形成されている。
【００１０】
発光手段の少なくとも１つの実施形態によれば、発光デバイスの動作中、第１および第２の光出射側を介してそれぞれ異なる光特性を有する光が発光デバイスから出射される。つまり第１の光出射側を介して第１の光特性をもつ光が発光デバイスから出射され、第２の光出射側を介して第２の光特性をもつ光が発光デバイスから出射される。この場合、第１の光特性は第２の光特性とは異なる。つまりこのことは、発光デバイスは自身の複数の光出射側からそれぞれ異なる光を放射することも意味する。
【００１１】
本発明による発光デバイスの少なくとも１つの実施形態によれば、この発光デバイスは第１の光出射側と第２の光出射側を有している。さらにこの発光デバイスは、第１の光出射側と第２の光出射側との間に配置されている有機積層体を有しており、発光デバイスの動作中、第１の光出射側と第２の光出射側を通って、それぞれ異なる光特性の光が出射される。
【００１２】
本発明による発光デバイスは殊に以下の考察を基礎とするものである：
特定の用途のためには、たとえば液晶ディスプレイのバックライトに使用する場合などは、均質に発光する面放射体を発光デバイスとして組み込むのが望ましい。たとえば移動電話ここでは殊に折り畳み型携帯電話のような特定の製品において使用する場合、著しく狭い空間たとえば互いに「背中合わせ」に配置された２つの液晶ディスプレイを背後から照射することが必要になる。ここで説明したような発光デバイスは、２つのディスプレイを背後から照射するためにきわめて良好に適している。なぜならばこのようなディスプレイはそれぞれ異なる技術で実装されている可能性があるからであり、したがって第１の光出射側と第２の光出射側から送出される光が、背後から照射すべきディスプレイの特性にそれぞれ整合されていると有利である。
【００１３】
発光デバイスの少なくとも１つの実施形態によれば、第１の光出射側から出射される光はその強度に関して、第２の光出射側から出射される光とは異なっている。つまり第１の光出射側から出射される光と第２の光出射側から出射される光は、少なくともその光強度の点でそれぞれ異なる光特性を有している。
【００１４】
発光デバイスの少なくとも１つの実施形態によれば、第１の光出射側から出射される光はその輝度に関して、第２の光出射側から出射される光とは異なっている。つまり第１の光出射側から出射される光と第２の光出射側から出射される光は、少なくともその輝度の点でそれぞれ異なる光特性を有している。
【００１５】
発光デバイスの少なくとも１つの実施形態によれば、第１の光出射側から出射される光はその放射特性に関して、第２の光出射側から出射される光とは異なっている。すなわち第１の光出射側から出射される光と第２の光出射側から出射される光は、少なくともその放射特性の点でそれぞれ異なる光特性を有している。つまりたとえば、第１の光出射側を介して出射される光において第１の光出射側に対し相対的な強度角度分布は、第２の光出射側を介して出射される光において第２の光出射側に対し相対的な強度角度分布とは異なっている。
【００１６】
発光デバイスの少なくとも１つの実施形態によれば、第１の光出射面から出射される光はその色に関して、第２の光出射面から出射される光とは異なっている。つまり第１の光出射側から出射される光と第２の光出射側から出射される光は、少なくともその色の点でそれぞれ異なる光特性を有している。
【００１７】
たとえば第１の光出射側を介して発光デバイスから白色光を送出させることができる。さらにその際、第２の光出射側を介して緑色、青色、赤色または他の色の光を発光デバイスから送出させることができる。
【００１８】
本発明による発光デバイスの少なくとも１つの実施形態によれば、この発光デバイスの少なくとも１つの光出射側には波長変換材料が含まれている。
【００１９】
波長変換材料は、第１の波長範囲の入射光を吸収して第１の波長範囲とは異なる第２の波長範囲の光を送出する材料であり、一般に第２の波長範囲は第１の波長範囲よりも長い波長を有している。波長変換材料として有機材料たとえばペリレン発光材料を使用することができる。さらに以下の無機材料も波長変換材料として使用するのに適している。すなわち、希土類金属でドーピングされたガーネット、希土類金属でドーピングされたアルカリ土類硫化物、希土類金属でドーピングされたチオガレート、希土類金属でドーピングされたアルミ酸塩、希土類金属でドーピングされたオルトケイ酸塩、希土類金属でドーピングされたクロロシリケート、希土類金属でドーピングされたアルカリ土類ケイ素窒化物、希土類金属でドーピングされた酸窒化物、希土類金属でドーピングされたアルミニウム酸窒化物を有するグループも波長変換材料として使用するのに適している。
【００２０】
本発明による発光デバイスの少なくとも１つの実施形態によれば、第１の光出射側には波長変換材料が含まれている。この場合、第２の光出射側には波長変換材料が含まれていないか、別の波長変換材料、付加的な波長変換材料、または異なる濃度の波長変換材料が含まれている。これにより、第１の光出射側と第２の光出射側によってそれぞれ異なる色の光を発光デバイスから出射させることができる。
【００２１】
本発明による発光デバイスの少なくとも１つの実施形態によれば、この発光デバイスの少なくとも１つの光出射側にはカラーフィルタ材料が含まれている。
【００２２】
このカラーフィルタは、特定の波長範囲の光をフィルタリングするのに適している。つまりこの波長の光は、カラーフィルタによって少なくとも部分的に吸収される。このようにしてたとえば白色光から第１の色成分がフィルタリングされるようにすることができ、第２の色成分が実質的に阻止されることなくカラーフィルタを通過して放射されるようにすることができる。この場合、カラーフィルタによる色のサブ領域は実質的に第２の色成分の光を放出する。
【００２３】
カラーフィルタはたとえば、カラーフィルタ材料の粒子の形態でマトリックス材料に埋め込まれている。
【００２４】
発光デバイスの少なくとも１つの実施形態によれば、第１の光出射側にはカラーフィルタ材料が含まれており、その場合、第２の光出射側にはカラーフィルタ材料は含まれていないか、または他のカラーフィルタ材料、付加的なカラーフィルタ材料または別の濃度のカラーフィルタ材料が含まれている。このようにして第１の光出射側から、第２の光出射側とは異なる色の光を送出させることができる。
【００２５】
本発明による発光デバイスの少なくとも１つの実施形態によれば、この発光デバイスの少なくとも１つの光出射側には光散乱材料が含まれている。この光散乱材料は、光散乱材料を含む光出射側を介して光を散乱させるのに適している。このようにすることで、この光出射側を介して出射される光の角度分布ならびに強度を変えることができる。
【００２６】
本発明による発光デバイスの少なくとも１つの実施形態によれば、たとえば第１の光出射側に光散乱材料が含まれている。この場合、第２の光出射側には光散乱材料が含まれていないか、別の光散乱材料、付加的な光散乱材料、または異なる濃度の光散乱材料が含まれている。このようにすれば、第１の光出射側と第２の光出射側から送出される光をその放射特性に関して異ならせることができる。
【００２７】
本発明による発光デバイスの少なくとも１つの実施形態によれば、発光デバイスの第２の光出射側から白色光が送出され、第１の光出射側からカラー光が送出される。ここでカラー光とは、白色ではなく有彩色たとえば青色、緑色、赤色または黄色のことである。上述の色の混合も可能である。
【００２８】
本発明による発光デバイスの少なくとも１つの実施形態によれば、少なくとも１つの半透過性の電極が有機積層体に接している。所定の反射特性と所定の透過特性をもつ半透過性の電極により、発光デバイスの光出射面を介して送出される光の強度、放射特性ならびに角度分布を、所期のように調整することができる。したがってたとえば、光出射側のうち少なくとも１つを介して出射される光の放射特性を、有機積層体において放射発生のために設けられている有機層と半透過性の電極との間隔によって定めることができる。これはたとえばいわゆるキャビティ効果の利用によって実現可能である。
【００２９】
次に、既述の発光デバイスについて実施例およびそれらに係わる図面に基づき詳しく説明する。
【図面の簡単な説明】
【００３０】
【図１】本発明による発光デバイスに関する第１の実施例の概略断面図
【図２Ａ】本発明による発光デバイスに関する第２の実施例の概略断面図
【図２Ｂ】放射発生のために設けられている層と第２の電極との間隔に依存して前方方向での放出強度Ｉを示す図
【図２Ｃ】放射発生のために設けられている層と第２の電極との間隔に依存して前方方向での放出強度Ｉを示す図
【図２Ｄ】放射発生のために設けられている層と第２の電極との間隔に依存して前方方向での放出強度Ｉを示す図
【図２Ｅ】放射発生のために設けられている層と第２の電極との間隔に依存して前方方向での放出強度Ｉを示す図
【図２Ｆ】白色の広帯域放出層における緑色と青色の励起子の分布をシミュレートした図
【図３Ａ】本発明の第３の実施例による発光デバイスの概略断面図
【図３Ｂ】第１の光出射側と第２の光出射側により放出される光の強度を光の波長に依存して示す図
【図４Ａ】本発明の第４の実施例による発光デバイスの概略断面図
【図４Ｂ】第１の光出射側から放出される光の波長に対する出射の改善について示す
【図５】本発明の第５の実施例による発光デバイスを示す概略断面図
【００３１】
実施例および図面において、同一の構成要素または同じ働きをもつ構成要素にはそれぞれ同じ参照符号が付されている。図示されている構成要素は必ずしも縮尺どおりに示されたものではなく、理解しやすくするため個々の要素が誇張されて大きく描かれている場合もある。
【００３２】
図１は、本明細書で述べる発光デバイスに関する第１の実施例を概略的に示す断面図である。
【００３３】
第１の実施例による発光デバイスには基板８が含まれている。基板８は光透過性として形成されている。この場合、基板８を透過性またはたとえば曇りガラスといったように拡散散乱性として形成することができる。基板８はたとえばガラスまたはプラスチックシートから成る。
【００３４】
基板８には第１の電極５が取り付けられている。第１の電極をアノードまたはカソードとすることができる。第１の電極５は有利には放射透過性として形成されている。第１の電極５には、その基板８とは反対側に有機積層体３が続いている。有機積層体３には１つまたは複数の有機層が含まれている。有機層のうち１つの層３ａは、有利には放射発生のために設けられている。有機積層体３にはさらに別の有機層３ｂ、３ｃを含めることができ、これらの層はたとえば電荷キャリアを放射発生のために設けられた層３ａへ輸送および／または注入するのに適したものである。
【００３５】
有機積層体３において第１の電極５とは反対側には第２の電極６が続いている。第１の電極５がアノードであるならば第２の電極６はカソードである。第１の電極５がカソードであるならば第２の電極６はアノードである。第２の電極５は有利には光透過性として形成されている。
【００３６】
第２の電極６において有機積層体３とは反対側にカプセル封止部７が取り付けられている。カプセル封止部７は光透過性として形成されている。この場合、カプセル封止部７をたとえば曇りガラスといったように光学的に拡散散乱性として、あるいは透過性として形成することができる。カプセル封止部７はたとえばガラスまたはプラスチックシートから成る。さらにカプセル封止部７を薄膜カプセルとすることができる。
【００３７】
薄膜カプセルは少なくとも１つのバリア層を有している。バリア層は、有機積層体ならびに敏感な電極材料をたとえば湿気や酸素といった悪影響を及ぼす物質の侵入から保護するために設けられている。
【００３８】
薄膜カプセルは少なくとも１つの薄膜層たとえばバリア層を有しており、これはスパッタリング、蒸着、プラズマ支援型ＣＶＤ（chemical vapour deposition）といった薄膜プロセスによって取り付けられている。
【００３９】
有利には薄膜カプセルには交互に設けられた複数のバリア層が含まれており、この場合、材料組成の点で異なる少なくとも２つのバリア層が規則的な順序で配置されている。つまり換言すれば、薄膜カプセルは第１のバリア層と第２のバリア層を有しており、その際、第１のバリア層の材料組成は第２のバリア層の材料組成とは異なっている。第１のバリア層を、たとえば酸化ケイ素を有するかまたはこの材料から成るように形成することができ、第２のバリア層を、たとえば窒化ケイ素を有するかまたはこの材料から成るように形成することができる。さらに第１および第２のバリア層は、それらの材料組成に関して交互に配置されている。
【００４０】
薄膜カプセル内におけるバリア層のこのような交互の層列によって、薄膜カプセルが著しく密に形成されるという利点が得られる。このことは一般に、個々のバリア層の取り付けによりそれらの層に発生する可能性のあるピンホールつまり小さい孔を、それらの上に位置するバリア層によって覆うことができ、もしくはそれらの材料によって充填することすらできる、ということに基づくものである。さらにこの場合、ある１つのバリア層のピンホールが隣り合うバリア層のピンホールと貫通して結合する確率は著しく低い。このことは、材料組成に関して交互に配置されているバリア層について殊にあてはまる。
【００４１】
殊に有利であるのは、交互に配置されているバリア層のうち一方のバリア層が酸化ケイ素を有しており、他方のバリア層が窒化ケイ素を有することである。たとえば第１のバリア層がＳｉＯ2から成るようにし、その場合には第２のバリア層がＳｉ3Ｎ4から成るようにすることができる。
【００４２】
図１の実施例による発光デバイスは第１の光出射側１を有している。第１の光出射側１は、基板８において有機積層体３とは反対側に位置している。第１の光出射側１を通って、第１の光特性をもつ光２１が発光デバイスから送出される。
【００４３】
発光デバイスはさらに第２の光出射側２を有しており、これはカプセル封止部７において有機積層体とは反対側に位置している。第２の光出射側２を通って、第２の光特性をもつ光２２２が発光デバイスから送出される。
【００４４】
第１の光特性をもつ光２１は第２の光特性をもつ光２２とは異なっている。つまり発光デバイスは第１の光出射側１と第２の光出射側２を介して、光特性がそれぞれ異なる光２１，２２を放出する。
【００４５】
図２Ａは、本明細書で説明する発光デバイスに関する第２の実施例の概略断面図である。
【００４６】
この実施例によれば、第２の電極６はカソードである。カソードは、放射発生のために設けられた有機層３ａにおいて発せられた電磁放射に対し少なくとも部分的に反射するように形成されている。放射発生のために設けられている有機層３ａは、たとえば５３０ｎｍの波長をもつ光の発生に適しており、１．７の屈折率を有している。放射発生のために設けられている有機層３ａは、第２の電極６から間隔ｔを有している。
【００４７】
図２Ｂ、図２Ｃ、図２Ｄ、図２Ｅには、前方方向すなわち第１の光出射側１の方向における光２１の任意の単位での放出強度Ｉが、放射発生のために設けられている層３ａと第２の電極６との間隔ｔに依存して示されている。いわゆるキャビティ効果ゆえに、強度Ｉならびにその角度分布は間隔ｔに依存する。したがって間隔ｔによって、第１の光出射側１から放射される光の放射特性を所期のように調節することができる。
【００４８】
たとえば、放射発生のために設けられている層３ａを白色広帯域発光体を備えた有機層３ａとすることができる。この白色広帯域発光体において、種々の色に対する励起子の崩壊ゾーンにそれぞれ異なる長さをもたせることができる。このようにすることで、図２Ｂ〜図２Ｅに関連して説明されるキャビティ効果により、光出射側１，２から放射される光に対する色選択性の調整を実現することができる。この目的で図２Ｆには、放射発生のために設けられており白色広帯域発光体材料を含む有機層３ａにおける緑色の励起子１１と青色の励起子１２のシミュレートされた分布が示されている。この場合、青色の励起子は平均的に、有機積層体３と第１の電極５との間の界面において著しく密に存在している。
【００４９】
発光手段としてたとえば、それぞれ所定の反射特性を有する２つの半透過性の電極を使用した場合、キャビティ効果を利用して第１および第２の光出射側１，２により種々の色の光放射を達成することができる。その際、両方の電極に互いに異なる反射特性をもたせることができる。
【００５０】
図３Ａは、本発明の第３の実施例による発光デバイスの概略断面図である。第３の実施例による発光デバイスは、アノードを成す透過性の第１の電極５を有している。このアノードは、有機積層体３にホールの注入に適している。有利にはアノードは、たとえば酸化インジウムスズ（ITO, Indium Tin Oxide）のように電子に対し高い仕事関数をもつ材料を有している。
【００５１】
第１の電極には有機積層体３が続いており、この有機積層体３はここではホール輸送層３ｂを有しており、この層はポリマーたとえばPEDOTから成る。ホール輸送層３ｂは１２０ｎｍの厚さＤ２３を有している。ホール輸送層３ｂには放射を発生させるための有機層３ａが続いており、この有機層３ａはここでは８０ｎｍの厚さＤ２２を有しており、ＬＥＰによって形成されている。放射発生のために設けられている有機層３ａには電子輸送層３ｃが続いており、この層はＣａから成り、３ｎｍの厚さＤ２１を有している。電子輸送層３ｃには第２の電極６が取り付けられており、第２の電極６はここでは銀から成り、１０ｎｍの厚さＤ１を有している。第２の電極６はカソードを成し、これは電子に対し僅かな仕事関数を有している。
【００５２】
カソードは半透過性ミラーを成しており、この場合、層厚Ｄ１によって所定の透過と反射の比が調節されている。第２の電極６を通って出射される光２２すなわち第２の光出射側２を介して発光デバイスから出射される光の色成分と強度を、第２の電極６の厚さＤ１によって調節することができる。
【００５３】
図３Ｂには、第１の光出射側１を介して放出された光２１の強度（特性曲線１４）と、第２の光出射側２を介して放出された光２２の強度（特性曲線１３）が、光の波長に依存して描かれている。
【００５４】
図４Ａには、本発明の第４の実施例による発光デバイスの概略断面図が示されている。図４の実施例の場合、基板８において有機積層体３とは反対側に散乱シートが取り付けられている。この散乱シートは５０μｍの厚さであり、光の散乱に適した材料の５０重量％の粒子を有している。たとえばそれらの粒子をポリマーマトリックスにおけるポリマー粒とすることができる。つまり図４Ａの実施例の場合、第１の光出射側１には光散乱性の材料が含まれている。これによって、第１の光出射側１を介して出射された光２１の色成分にも強度にも作用を及ぼすことができる。
【００５５】
図４Ｂには、表面法線ｎに対する０°の角度（特性曲線１５）と、表面法線ｎに対する６０°の角度（特性曲線１６）に関して、第１の光出射側から放出される光２１の波長に対する出射の改善度Ｖがパーセントで示されている。
【００５６】
図５には、本発明の第５の実施例による発光デバイスを示す概略断面図が示されている。この実施例の場合、カラーフィルタおよび／または波長変換材料の粒子１０が発光デバイスの基板８に取り込まれている。つまりこの場合、第１の光出射側１には、カラーフィルタ材料および／または波長変換材料が含まれている。
【００５７】
たとえば、放射を発生するために設けられている有機層３ａは青色光を放出するのに適している。その場合、粒子１０はたとえば黄色を再放出する波長変換材料または赤緑色を再放出する波長変換材料となる。このようにして、第１の光出射側１から白色の混合光が放出される。第２の光出射側２からは青色光が放出される。これに対する代案としてたとえば、放射発生のために設けられている有機層３ａを白色光の発生に適したものとすることもできる。その場合には粒子１０は緑色のカラーフィルタ材料となる。このようにした場合、第２の光出射側２から白色の混合光が放出される。第１の光出射側１からは緑色光が放出される。
【００５８】
ディスプレイのバックライト用発光デバイスとして使用することのほか、本発明による発光デバイスはたとえば２色の間仕切りないしはスペース分離部材あるいは効果照明としても適しており、その場合、発光デバイスは任意に選定可能な形状で構成され、旋回可能に支承されている。このようにすれば発光デバイスを急速に旋回させることにより、ストロボスコープのように２色の光効果を発生させることができる。
【００５９】
さらに発光デバイスを窓のところで利用することもできる。窓全体を発光デバイスによって被層すれば、日中は透過性であり夜間は基本的に室内だけを照射する発光デバイスを実現することができる。この目的で、発光デバイスにおいて外側に向いた電極は、放射発生のために設けられた有機層３ａにおいて発せられる光に対し反射性となるよう、半透過性に形成される。
【００６０】
なお、本発明は実施例に基づくこれまでの説明によって限定されるものではない。むしろ本発明はあらゆる新規の特徴ならびにそれらの特徴のあらゆる組み合わせを含むものであり、これには殊に特許請求の範囲に記載した特徴の組み合わせ各々が含まれ、このことはそのような組み合わせ自体が特許請求の範囲あるいは実施例に明示的には記載されていないにしてもあてはまる。
【００６１】
本願は、ドイツ連邦共和国特許出願第102006046196.7号の優先権を主張するものであり、その開示内容は参照によって本願に取り込まれるものとする。
【図１】
2010505246.tif 000003
【図２Ａ】
2010505246.tif 000004
【図２Ｂ】
2010505246.tif 000005
【図２Ｃ】
2010505246.tif 000006
【図２Ｄ】
2010505246.tif 000007
【図２Ｅ】
2010505246.tif 000008
【図２Ｆ】
2010505246.tif 000009
【図３Ａ】
2010505246.tif 000010
【図３Ｂ】
2010505246.tif 000011
【図４Ａ】
2010505246.tif 000012
【図４Ｂ】
2010505246.tif 000013
【図５】
2010505246.tif 000014
【国際調査報告】
2010505246.tif 000015
2010505246.tif 000016
2010505246.tif 000017
2010505246.tif 000018
2010505246.tif 000019
2010505246.tif 000020